(57)【要約】【課題】外付けフラッシュランプの閃光時間を制御する方法を提供する。【解決手段】外付けフラッシュランプの閃光時間を制御する方法は、携帯装置と外付けフラッシュランプとが組み合わせ、撮影の補光を行う時に用いられる。携帯装置は、Ｎ列の感光部材を有し、Ｎは自然数である。また、この方法は、特定事件を検測することを含む。この特定事件の発生時間は、第一列感光部材の露出開始時間が固定時間の長さであることに相対している。単一の閃光可能期間が存在するか否かを判断し、この期間内での閃光は、各列の感光部材により受け取ることができる。単一の閃光可能期間が存在するとき、特定事件の発生されたメッセージを外付けフラッシュランプに通知することによって、外付けフラッシュランプが特定事件から所定の遅延時間後、閃光指示がトリガーリングされる。【選択図】図７
2016099627.tif 000002
【特許請求の範囲】
【請求項１】
携帯装置と外付けフラッシュランプとが組み合わせられたとき、撮影の補光を行うのに用いられる方法であって、前記携帯装置は、Ｎ列の感光部材を有し、Ｎは自然数であり、
特定事件を検測し、前記特定事件の発生時間は、第１列感光部材の露出開始時間に相対して固定した時間の長さであるステップと、
単一の閃光可能期間が存在するか否かを判断かを判断し、単一の閃光可能期間内での閃光は、各列の感光部材により受け取り可能であるステップと、
単一の閃光可能期間が存在する場合、前記特定事件の発生情報を前記外付けフラッシュランプに通知することによって、前記外付けフラッシュランプが前記特定事件から所定の遅延時間後に、閃光指示がトリガーリングされることで、前記外付けフラッシュランプの閃光時間を単一の閃光可能期間内に入らせるステップと、
単一の閃光可能期間が存在しない場合、前記特定事件の発生情報を前記外付けフラッシュランプに通知することによって、前記外付けフラッシュランプが前記特定事件から所定の遅延時間後に、閃光指示がトリガーリングされ、前記外付けフラッシュランプの第一回閃光時間が制御され、並びに前記第一回閃光から所定の時間後に第二回閃光が行われるステップと、を含むことを特徴とする外付けフラッシュランプの閃光時間を制御する方法。
【請求項２】
前記単一の閃光可能期間が存在するか否かを判断するステップは、
環境光の強度を検測するステップと、
前記環境光の強度と予め設定した閾値とを比較するステップと、
前記環境光の強度が前記予め設定した閾値より小さい場合、単一の閃光可能期間が存在すると判断するステップと、
前記環境光の強度が前記予め設定した閾値より大きい場合は、単一の閃光可能期間が存在しないと判断するステップと、を含むことを特徴とする請求項１に記載の外付けフラッシュランプの閃光時間を制御する方法。
【請求項３】
異なるメーカの前記携帯装置に対応する予め設定された閾値を、前記外付けフラッシュランプの記憶装置に保存する、または、前記携帯装置が前記外付けフラッシュランプを制御するのに用いられるアプリケーションソフトウェアに設定するステップをさらに含むことを特徴とする請求項２に記載の外付けフラッシュランプの閃光時間を制御する方法。
【請求項４】
前記第二回閃光後の所定の時間後に第三回閃光が行われるステップをさらに含むことを特徴とする請求項１に記載の外付けフラッシュランプの閃光時間を制御する方法。
【請求項５】
単一の閃光可能期間が存在するか否かを判断するステップは、
環境光の強度を検測するステップと、
前記環境光の強度と予め設定した第一閾値または第二閾値とを比較し、前記予め設定した第二閾値は前記予め設定した第一閾値より大きいことと、
前記環境光の強度が前記予め設定した第一閾値より小さい場合、単一の閃光可能期間が存在すると判断するステップと、
前記環境光の強度が前記予め設定した第一閾値より大きく、かつ前記予め設定した第二閾値より小さい場合、二回の閃光が行われる必要があると判断するステップと、
前記環境光の強度が前記予め設定した第二閾値より大きい場合、三回または多数回の閃光が行われる必要があると判断するステップと、を含むことを特徴とする請求項１に記載の外付けフラッシュランプの閃光時間を制御する方法。
【請求項６】
異なるメーカの前記携帯装置に対応する予め設定した閾値を、前記外付けフラッシュランプの記憶装置に保存する、または、前記携帯装置が前記外付けフラッシュランプを制御するのに用いられるアプリケーションソフトウェアに設定するステップをさらに含むことを特徴とする請求項５に記載の外付けフラッシュランプの閃光時間を制御する方法。
【請求項７】
前記第一回閃光は、多くともＰ個目の感光部材列までカバーし、前記第二回閃光は、多くともＱ個目の感光部材列までカバーする場合、Ｐ＋Ｑ＜Ｎのとき、前記第二回閃光後の所定の時間後に第三回閃光が行われ、Ｐ、Ｑは自然数であることを特徴とする請求項１に記載の外付けフラッシュランプの閃光時間を制御する方法。
【請求項８】
第１列感光部材は、第ａ列以前の感光部材と共同の閃光可能期間を有することが可能であり、第ｂ列以後の感光部材と共同の閃光可能期間を有しておらず、
第Ｎ列感光部材は、第ｃ列以後の感光部材と共同の閃光可能期間を有することが可能であり、第ｄ列以前の感光部材と共同の閃光可能期間を有しておらず、
前記第一回閃光は、第１列感光部材が露出を終了する前、かつ第Ｘ列感光部材の露出時間内に行い、
第二回閃光は、第Ｎ列感光部材が露出を開始する後、かつ第Ｙ列感光部材の露出時間内に行い、ｄ≦Ｘ≦ａ、ｃ≦Ｙ≦ｂであり、ａ、ｂ、ｃ、ｄ、Ｘ、Ｙは自然数であることを特徴とする請求項１に記載の外付けフラッシュランプの閃光時間を制御する方法。
【請求項９】
単一の閃光可能期間が存在するか否かを判断するステップは、
テスト撮影プログラムを起動し、テスト撮影プログラムにおいて、当時の環境光の強度に基づき、フレームの露出が行われるステップと、
露出後のフレームを検査し、感光部材の輝度と参照閾値とを比較し、並びに参照閾値より輝度の低い感光部材があるか否かを判断するステップと、
参照閾値より輝度の低い感光部材がない場合、単一の閃光可能期間が存在すると判断するステップと、
参照閾値より輝度の低い感光部材がある場合は、単一の閃光可能期間が存在しないと判断するステップと、を含むことを特徴とする請求項１に記載の外付けフラッシュランプの閃光時間を制御する方法。
【請求項１０】
前記参照閾値より輝度の高い感光部材の列数（Ｐ）を検査し、並びに感光部材の総列数（Ｎ）と比較することによって、閃光回数を決定するステップをさらに含むことを特徴とする請求項９に記載の外付けフラッシュランプの閃光時間を制御する方法。
【請求項１１】
携帯装置と外付けフラッシュランプとが組み合わせられたとき、撮影の補光を行うのに用いられる方法であって、
前記携帯装置は、複数列の感光部材を有し、
前記外付けフラッシュランプの第一回閃光時間を制御し、並びに前記第一回閃光後の所定の時間後に第二回または多数回の閃光が行われ、前記すべての閃光回数を総合することにより、あらゆる感光部材を露出させることで、感光部材のフラッシュランプの露出により取得された映像が組み合わされ、一枚の写真を構成することを特徴とする外付けフラッシュランプの閃光時間を制御する方法。
【発明の詳細な説明】
【技術分野】
【０００１】
本発明は、フラッシュランプの技術に関し、特に、携帯装置に用いられる外付けフラッシュランプの撮影方法に関する。
【背景技術】
【０００２】
デジタル撮影の画素および品質が進歩するにつれて、携帯装置（例えば携帯電話、タブレットコンピュータなど）に撮影機能が備え付けられることが趨勢となっている。しかしながら、これらの内蔵されたデジタルカメラは、低い光源または逆光の状況下においては、従来のデジタルカメラに匹敵するものではない。
【０００３】
内蔵されたデジタルカメラもＬＥＤ（発光ダイオード）補助光ランプが設置されているが、携帯装置の電池容量およびＬＥＤ放熱などの問題により、ＬＥＤ補助光ランプの補助光量が大きく制限される。携帯装置と被写体との距離が１メートルを超えた場合、ＬＥＤは、十分な光源を提供できず、感光部材が適度に露出させる。
【０００４】
キセノンフラッシュランプは、短時間内に大量の補助光源を提供することができるため、従来のデジタルカメラには、よくキセノンフラッシュランプが設置されている。キセノンフラッシュランプは、充電装置により、低電圧の電池電源を高圧電源に転換され、並びに大容量の高圧コンデンサに蓄蔵される。メカニカルシャッタに合わせて、適切な時間にキセノンフラッシュランプがトリガーリングされることによって、高圧コンデンサに蓄蔵された電気エネルギが、非常に短い時間で高輝度の補助光源に転換され、感光部材が低い光源または逆光の状況下で、適度に露出させる。キセノンフラッシュランプは、数十μＦから数百μＦで、三百から四百ボルトの電圧を耐えることができる高圧コンデンサが必要である。これらのコンデンサの体積は、非常に大きいため、携帯装置が軽薄短小の場合、負担可能な範囲ではない。よって、携帯装置の体積および重量を増加させない前提下で、外付けキセノンフラッシュランプは、実行可能で必要な選択肢となっている。
【０００５】
高圧コンデンサの容量およびキセノンランプチューブの規格により、キセノンフラッシュランプの閃光時間は約数十ミリ秒から数百ミリ秒に至る。如何に正確な時点に閃光することにより、あらゆる感光部材が均等に露出させるかは、外付けキセノンフラッシュランプが実行可能であるか否かのもう一つの重要な課題である。一般的に携帯装置の備え付けられる撮影装置は、ＣＭＯＳ感光部材であり、並びにメカニカルシャッタは、備え付けられず、ローリングシャッタ（ｒｏｌｌｉｎｇ  ｓｈｕｔｔｅｒ）が使用されている。図１に示すとおりである。図１は、先行技術のローリングシャッタを示している。図１をご参照ください。図１において、各線は、感光部材の各線の感光時間を示す。一つのフレーム（ｆｒａｍｅ）内における各列感光部材の露出時間の長さは、同様であるが、各列の露出開始および終了時間は、すべて前の列と所定の遅延時間が隔たっている。この遅延時間内に撮影装置は、感光部材の情報を読み取り、並びにリセットを完成することによって、次のフレームの露出を進行する。撮影状況および撮影装置の設定が異なることによって、各列の露出時間は、約数ミリ秒から数百ミリ秒に至る。
【０００６】
しかしながら、ローリングシャッタの制限により、外付けキセノンフラッシュランプは、しばしば最良の閃光時機を探し出すことができないため、撮影品質を高めることができない。
【発明の概要】
【発明が解決しようとする課題】
【０００７】
本発明の目的は、外付けフラッシュランプの閃光時間を制御する方法を提供することにある。
【課題を解決するための手段】
【０００８】
外付けフラッシュランプの閃光時間を制御する方法は、携帯装置と外付けフラッシュランプとが組み合わせ、撮影の補光を行う時に用いられる。携帯装置は、Ｎ列の感光部材を有し、Ｎは自然数である。また、この方法は、特定事件を検測することを含む。この特定事件の発生時間は、第一列感光部材の露出開始時間が固定時間の長さであることに相対している。単一の閃光可能期間が存在するか否かを判断し、この期間内での閃光は、各列の感光部材により受け取ることができる。単一の閃光可能期間が存在するとき、特定事件の発生されたメッセージを外付けフラッシュランプに通知することによって、外付けフラッシュランプが特定事件から所定の遅延時間後、閃光指示がトリガーリングされる。よって、外付けフラッシュランプの閃光時間が単一の閃光可能期間内に入らせる。単一の閃光可能期間が存在しないとき、特定事件の発生されたメッセージを外付けフラッシュランプに通知することによって、外付けフラッシュランプが特定事件から所定の遅延時間後、閃光指示がトリガーリングされ、外付けフラッシュランプの第一回閃光時間が制御される。並びに、第一回閃光を行う後の所定の時間後に第二回閃光が行われる。
【０００９】
そのうち一つの好ましい態様において、単一の閃光可能期間が存在するか否かを判断するステップは、環境光の強度を検出することを含む。環境光の強度と予め設定した閾値とを比較する。環境光の強度が予め設定した閾値より低い場合、単一の閃光可能期間が存在すると判断する。逆に、環境光の強度が予め設定した閾値より高い場合は、単一の閃光可能期間が存在しないと判断する。
【００１０】
そのうち一つの好ましい態様において、当該方法は、異なるメーカに対応する携帯装置の予め設定した閾値を、外付けフラッシュランプの記憶装置に保存する、または、携帯装置が外付けフラッシュランプを制御するのに用いられるアプリケーションソフトウェアに設定することをさらに含む。
【００１１】
そのうち一つの好ましい態様において、当該方法は、第二回閃光を行う後の所定の時間後に第三回閃光を行うステップをさらに含む。
【００１２】
そのうち一つの好ましい態様において、単一の閃光可能期間が存在するか否かのステップは、環境光の強度を検出することを含む。環境光の強度と予め設定した第一閾値および第二閾値とを比較する。そのうち、予め設定した第二閾値は、予め設定した第一閾値より大きい。環境光の強度が予め設定した第一閾値より小さい場合、閃光可能期間が存在すると判断する。環境光の強度が予め設定した第一閾値より大きく、かつ予め設定した第二閾値より小さい場合は、二回の閃光が行われる必要があると判断する。また、環境光の強度が予め設定した第二閾値より大きい場合は、三回またはさらに多数回の閃光が行われる必要があると判断する。
【００１３】
そのうち一つの好ましい態様において、当該方法は、異なるメーカに対応する携帯装置の予め設定した閾値を、外付けフラッシュランプの記憶装置に保存する、または、携帯装置が外付けフラッシュランプを制御するのに用いられるアプリケーションソフトウェアに設定することをさらに含む。
【００１４】
そのうち一つの好ましい態様において、第一回閃光は、多くともＰ個目の感光部材列までカバーすることができる。また、第二回閃光は、多くともＱ個目の感光部材の列までカバーすることができる。よって、Ｐ＋Ｑ＜Ｎのとき、第二回閃光を行う後の所定の時間後に第三回閃光が行われる。そのうちＰ、Ｑは自然数である。
【００１５】
そのうち一つの好ましい態様において、第一列感光部材は、第ａ列以前の感光部材と共同の閃光可能期間を有することができるが、第ｂ列以後の感光部材と共同の閃光可能期間を有することができない。また、第Ｎ列感光部材は、第ｃ列以後の感光部材と共同の閃光可能期間を有することができるが、第ｄ列以前の感光部材と共同の閃光可能期間を有することができない。よって、第一回閃光は、第１列感光部材が露出を終了する時間の前に入る。並びに第Ｘ列感光部材の露出時間内に入り、かつ第二回閃光は、第Ｎ列感光部材が露出を開始する時間の後に入る。並びに第Ｙ列感光部材の露出時間内に入る。そのうち、ｄ≦Ｘ≦ａ、ｃ≦Ｙ≦ｂであり、ａ、ｂ、ｃ、ｄ、Ｘ、Ｙは、自然数である。
【００１６】
そのうち一つの好ましい態様において、単一の閃光可能期間が存在するか否かを判断するステップは、テスト撮影プログラムを起動することを含む。テスト撮影プログラムにおいて、当時の環境光の強度によりフレームの露出が行われる。露出後のフレームを検査し、感光部材の輝度と参照閾値とを比較する。並びに参照閾値より輝度の低い感光部材があるか否かを判断する。参照閾値より輝度の低い感光部材がなければ、単一の閃光可能期間が存在すると判断する。参照閾値より輝度の低い感光部材があれば、単一の閃光可能期間が存在しないと判断する。
【００１７】
そのうち一つの好ましい態様において、当該方法は、感光部材の輝度が参照閾値より高い列数（Ｐ）を検査し、並びに感光部材の総列数（Ｎ）と比較することによって、閃光回数を決定することをさらに含む。当該遅延時間は、フラッシュランプの遅延時間および特定事件から閃光可能期間までの時間によって決定される。
【００１８】
また、本発明は、外付けフラッシュランプの閃光時間を制御する方法を提供した。当該方法は、携帯装置と外付けフラッシュランプとが組み合わせられたとき、撮影の補光を行うのに用いられる。携帯装置は、複数列の感光部材を有する。当該方法は、外付けフラッシュランプの第一回閃光時間を制御し、並びに第一回閃光を行う後の所定の時間後に第二回またはさらに多数回の閃光が行われることを含む。そのうち、あらゆる閃光回数を総合して、すべての感光部材を露出させることによって、感光部材がフラッシュランプの露出により取得された映像が組み合わせられ、一枚の写真が構成される。
【図面の簡単な説明】
【００１９】
【図１】先行技術におけるローリングシャッタを示す図である。
【図２】本発明の実施形態における閃光に適切な時間を示す図である。
【図３】本発明の第一実施形態における撮影方法を示すフローチャートである。
【図４】本発明の第一実施形態における撮影方法に採用された携帯装置に内蔵された発光ダイオード補助光ランプの信号を表す特性図である。
【図５】本発明の第一実施形態における撮影方法に採用された外付けフラッシュランプのシステム構成を示す図である。
【図６】例を挙げて多数回の閃光が必要とする状況を示す図である。
【図７】本発明の第二実施形態における方法を示す図である。
【図８】例を挙げて多数回の閃光が必要とする他の状況を示す図である。
【図９】本発明の第三実施形態における方法を示す図である。
【図１０】本発明の第四実施形態におけるハードウェアを示す図である。
【図１１】本発明の第五実施形態における方法を示す図である。
【発明を実施するための形態】
【００２０】
本発明の目的、技術内容、特徴および達成された効果についてさらに理解を深めるために、以下具体的な実施形態に対して詳細な説明を加える。
【００２１】
（第一実施形態）
図２は、本発明の第一実施形態における閃光に適切な時間を示す図である。図２をご参照ください。閃光に適切な時間はたったｔ１およびｔ２の間に位置する。この時間内での閃光は、各列の感光部材により受信することができる。即ち、この閃光可能期間は、あらゆる感光部材の露出時間の重複区間である。もし閃光時間がｔ１より早ければ、後列における感光部材が露出することができない。もし閃光時間がｔ２より遅ければ、前列の感光部材が露出することができない。しかしながら、携帯装置は、通常マルチタスキング（ｍｕｌｔｉ−ｔａｓｋｉｎｇ）を実行するため、使用者がシャッタを押してからｔ１またはｔ２までの遅延時間は、決して固定ではない。そのため、先行技術では、外付けフラッシュランプの閃光時間がｔ１およびｔ２の間に安定的に制御される実行可能で信頼性の高い方法がなかったことで、外付けキセノンフラッシュランプの使用が深刻に制限されている。そこで、本発明は、図２に基づき、撮影方法を提示することによって、外付けフラッシュランプの閃光時間がｔ１およびｔ２の間に安定的に制御することができる。
【００２２】
図３は、本実施形態の撮影方法を示す流れ図である。図３をご参照ください。撮影方法として携帯装置の外付けキセノンフラッシュランプを使用し、携帯装置が撮影時に、補光動作が進行される。この撮影方法は以下のステップを含む。
【００２３】
ステップＳ３００：開始。
【００２４】
ステップＳ３０１：閃光可能期間前の特定事件を検測する。図２をご参照ください。一般的に、携帯装置の使用されている画素取り込み装置は、上述のローリングシャッタ（ｒｏｌｌｉｎｇ  ｓｈｕｔｔｅｒ）であるため、携帯装置内部の感光部材は、一つ一つ順次に露出する。また、携帯装置内部の各感光部材を露出する方法として積分方式が使用されているため、図２に示すように、閃光可能期間は、取り込まれた特定フレームの時間ｔ１および時間ｔ２の間に位置する。図２からわかるように、時間ｔ１および時間ｔ２は、最後列感光部材の露出開始（積分開始）時間から第一列感光部材の露出終了（積分終了）時間までを指す。もしこの時間内に閃光すれば、各掃引線は、すべて積分方式により感光が進行する。
【００２５】
携帯装置が、使用者によりシャッタ指示が押されたことが確認されたとき、測光、焦点合わせなどの準備作業が進行され、取り込もうとする特定フレームおよび感光部材の露出時間が決定される。このとき、外付けフラッシュ装置の閃光可能期間ｔ１〜ｔ２を知ることができる。たとえば、設計者は、特定のアプリケーションプログラムを設計することによって、特定フレームの時間を事前に推測し、または、その他のハードウェアの信号を利用することにより、特定フレームの時間を判定することができる。よって、本実施形態において特定事件の発生時間を取り入れ、事前に推測する基礎となる。この特定事件の発生時間は、上述の閃光可能期間に相対して固定した時間の長さである。即ち相対的に安定的で知ることが可能な時間である。閃光可能期間は、第１列感光部材の露出時間に相対して特定な関係を有するため、特定事件の発生する時間は、第１列感光部材の露出開始時間に相対して固定した時間の長さであると言える。
【００２６】
携帯装置におけるアプリケーションプログラム（例えば携帯電話のアプリケーションプログラム）の実現方法を例にして説明すれば、携帯電話のアプリケーションプログラムは、上述した特定フレームの第一列感光部材が露出開始時間を取り込み、上述の特定事件にすることができる。このとき、固定時間の長さは、第一列感光部材の露出開始時間から最後列感光部材の露出開始時間までである。上述の特定事件は、上述の特定フレームの第Ｋ列感光部材の露出開始時間であってもよい。このとき、固定時間の長さは、第Ｋ例感光部材の露出開始時間から最後列感光部材の露出開始時間までである。また、上述の特定事件は、上述した特定フレームの前Ｎ個フレームの第Ｋ列感光部材の露出開始時間であってもよい。このとき、固定時間の長さは、Ｎ個フレームの時間に、第Ｋ列感光部材の露出開始時間から最後列感光部材の露出開始時間までを加えた時間の長さである。上述の特定事件は、特定フレームの前Ｎ個フレームの第Ｋ列感光部材の露出終了時間であってもよい。このとき、もし第Ｋ列感光部材の露出終了時間が最後列感光部材の露出開始時間より早ければ、上述の固定時間の長さは、Ｎ個フレームの時間に、第Ｋ列感光部材の露出終了時間から最後列感光部材の露出開始時間までの長さを加えた時間の長さである。もし第Ｋ列感光部材の露出終了時間が最後列感光部材の露出開始時間より遅ければ、上述の固定時間の長さは、Ｎ−１個フレーム時間に、第Ｋ列感光部材の露出終了時間から最後列感光部材の露出開始時間までの時間を加えた時間の長さである。以上は、閃光可能期間の最後の時点を「固定時間の長さ」の計算基礎としているが、時間ｔ１および時間ｔ２の間における任意の時点を「固定時間の長さ」の計算基礎としても同価である。
【００２７】
外付けハードウェアの角度から言えば、上述の特定事件は、携帯装置の内蔵された発光ダイオード補助光ランプの信号であってもよい。図４は、本実施形態における撮影方法に採用された携帯装置に内蔵された発光ダイオード補助光ランプの信号を表すオシログラムである。図４をご参照ください。携帯装置が撮影を行うとき、内蔵された発光ダイオード補助光ランプの第一回発光は、レンズが光線を集束していることを表す。内蔵された発光ダイオード補助光ランプの第二回発光は、画像取り込み（感光する）の動作が進行しはじめることを表す。よって、本発明のステップＳ３０１において、上述の特定事件は、発光ダイオード補助光ランプの第一回発光または発光ダイオード補助光ランプの第二回発光であってもよい。
【００２８】
ステップＳ３０２：フラッシュランプの遅延時間および上述の特定事件から閃光可能期間までの時間に基づき、閃光指示がトリガーリングされることによって、外付けフラッシュランプの閃光時間が閃光可能期間内に入らせる。フラッシュランプそのものは、トリガーリングされた閃光指示を受け取ってから実際に閃光するまで、遅延時間を有する。よって、上述の特定事件から閃光可能期間までの時間を考慮するほか、フラッシュランプそのものの遅延時間も考慮したほうがよい。簡単に言えば、上述の特定事件から閃光可能期間までの時間が固定値であり、フラッシュランプそのものの遅延時間も既知値であるため、これに基づいてどの時点に閃光指示がトリガーリングされるかを決定することができる。たとえば、トリガーリングされた閃光指示を受け取ってから実際に閃光するまでの遅延時間がｔｄ（即ち、遅延時間ｔｄの基準始点は閃光指示がトリガーリングされた時点である。）であれば、閃光指示がトリガーリングされる時間は、ｔ１−ｔｄからｔ２−ｔｄの間にある。または、遅延時間ｔｄの基準始点を上述の特定事件の時間から計算し、並びに上述の特定事件の発生時間がｔ０とすれば、閃光時間は、ｔ１−ｔ０<ｔｄ<ｔ２−ｔ０という関係式を満たす必要があり、ｔｄ終了後に直ちに外付けフラッシュ装置が閃光するよう、指示する。遅延時間ｔｄの始点を計算するとき、上述の特定事件の時間と差異がある場合、その差異も考慮範囲に入れ、遅延時間ｔｄの定義によって決定する必要がある。
【００２９】
前述の外付けフラッシュランプは、ハードウェアにより接続され、携帯装置の備え付けられているユニバーサルシリアルバスポートまたはヘッドホンジャックにより電気的に結合され、携帯装置内部のソフトウェアにより特定事件が判断される。たとえば、感光開始時間または発光ダイオードにより信号が点灯されることによって、閃光技術が行われる。本発明の内容から、光結合の方法を実施形態として採用してもよい。図５は、本実施形態における撮影方法に採用された外付けフラッシュランプのシステム構成図である。図５をご参照ください。この外付けフラッシュランプ５０が携帯装置と非電気的に接続される場合、外付けフラッシュランプ５０は、光センサ回路５０１、遅延回路５０２、フラッシュランプ駆動回路５０３およびキセノンランプ５０４を含む。光センサ回路により携帯装置５１における発光ダイオード補助光ランプの発光を検知し、上述の特定事件とする。よって、キセノンランプ５０４が閃光時間（ｔ１〜ｔ２）に閃光するよう、駆動される。
【００３０】
このほか、上述の実施形態においては、光結合の方法により実施しているが、本発明の技術領域から無線を採用してもよい。たとえばＷＩＦＩ、近距離無線通信（Ｎｅａｒ  Ｆｉｅｌｄ  Ｃｏｍｍｕｎｉｃａｔｉｏｎ，ＮＦＣ）またはブルートゥース（登録商標）の方法、携帯装置がシャッタ音を発する方法を結合して実施してもよい。故に、本発明はこれに限らない。
【００３１】
さらに、一般的に言えば、上述のいくつかの特定事件の発生する時間は、上述の閃光可能期間に相対して固定した時間の長さである。即ち、相対的に安定的で知ることが可能な時間である。しかしながら、設計者は、上述のいくつかの事件に誤差がないことを保障することができない。よって、本発明は、上述のいくつかの特定事件の発生時間が上述の閃光可能期間の時間に相対して、誤差が許容可能な範囲より小さければ、（たとえば、閃光可能期間の二分の一以内である。）本発明の引き受け可能な範囲に属する。
【００３２】
図６および図２をご参照ください。図２に示す状況のように、一般的に閃光可能期間を探し出すことが可能である。閃光可能期間内での閃光は、各列の感光部材により受け取ることができる。しかしながら、環境光が比較的に強いまたは逆光撮影のような特殊状況下において、各列の感光部材の露出時間が短縮された場合、あらゆる感光部材の露出時間の重複区間を探し出すことができないかもしれない。図６に例示する状況のように、第１列感光部材が露出終了後に、第Ｎ−３列感光部材がやっと露出しはじめるため、第１列感光部材は、第Ｎ−３列以後の感光部材と共同の閃光可能期間を有することができない。（同様に、第２列感光部材は、第Ｎ−２列以後の感光部材と共同の閃光可能期間を有することができない。これによって類推することができる。）
【００３３】
本発明に基づき、外付けフラッシュランプの閃光時間を制御する方法は、閃光可能期間が存在するか否かを判断することを含む。閃光可能期間内での閃光は、各列の感光部材により受け取ることができる。もしそうでなければ、二回またはさらに多数回の閃光が行われる。即ち、図６に示す状況下において、外付けフラッシュランプ５０は、一回の閃光があらゆる感光部材により受け取ることができない状況を検出可能であるため、多数回の閃光が行われることができる。
【００３４】
（第二実施形態）
図７をご参照ください。詳しく言えば、第二実施形態において、まず環境光の強度（ステップＳ７０１）が検出される。並びに、環境光の強度と予め設定した閾値とを比較（ステップＳ７０２）する。閃光の必要性を判断するため、いわゆる「環境光」は、撮影方向の環境光が比較的に良い。環境光の強度が予め設定した閾値より小さい場合、感光部材の露出時間が十分に長いことを表し、あらゆる感光部材の露出時間の重複区間を探し出すことができるため、一回の閃光のみで、あらゆる感光部材を露出（ステップＳ７０３）させる。逆に、環境光の強度が予め設定した閾値より大きい場合、感光部材の露出時間が、一回の閃光であらゆる感光部材が受け取ることができない程度に短縮されるため、第一回閃光を行う後の所定の時間後に第二回閃光（ステップＳ７０４）が行われる。
【００３５】
図６をご参照ください。第１列感光部材は、第Ｎ−４列（図示せず）以前の感光部材と共同の閃光可能期間を有することができるが、第Ｎ−３列以後の感光部材と共同の閃光可能期間を有することができない。また、第Ｎ列感光部材は、第５列（図示せず）以後の感光部材と共同の閃光可能期間を有することができるが、第４列以前の感光部材と共同の閃光可能期間を有することができない。よって、任意に二回の閃光を手配することができる。第一回閃光が第１列感光部材の露出終了時間の前に入らせ、並びに第Ｘ列感光部材の露出時間内に入るようにする。かつ第二回閃光が第Ｎ列感光部材の露出開始時間の後に入らせ、並びに第Ｙ列感光部材の露出時間内に入るようにする。図６に例示するように、４≦Ｘ≦Ｎ−４、５≦Ｙ≦Ｎ−３であり、即ち、第一回閃光は、必ず第１列感光部材の露出時間内（Ｘ≦Ｎ−４）に入り、かつ、第一回閃光は、必ず第Ｎ列感光部材が露出開始以前において最後に露出を終了する感光部材（４≦Ｘ）までカバーする必要がある。また、第二回閃光は、必ず第Ｎ列感光部材の露出時間内（５≦Ｙ）に入り、かつ第二回閃光は、必ず第１列感光部材が露出終了後に最初に露出を開始する感光部材（Ｙ≦Ｎ−３）までカバーする必要がある。
【００３６】
さらにひどい状況下で、二回の閃光もあらゆる感光部材により受け取ることができない場合は、三回またはさらに多数回の閃光を手配する必要がある。図８に例示した状況である。
【００３７】
（第三実施形態）
図９をご参照ください。この状況下において、第三実施形態では、まず環境光の強度を検出する（ステップＳ８０１）。並びに環境光の強度と予め設定した閾値とを比較する（ステップＳ８０２）。環境光の強度が予め設定した第一閾値より小さい場合、感光部材の露出時間が十分に長いことを表し、あらゆる感光部材の露出時間の重複区間を探し出すことができるため、一回の閃光のみで、あらゆる感光部材を露出することができる（ステップＳ８０３）。環境光の強度が予め設定した第一閾値より大きい場合は、続いて、環境光の強度が予め設定した第二閾値より大きいか否かを判断する（ステップＳ８０４）。環境光の強度が予め設定した第一閾値より大きく、かつ予め設定した第二閾値より小さい場合、二回の閃光であらゆる感光部材が受け取ることができるようにすることが十分であることを表す（ステップＳ８０５）。環境光の強度が予め設定した第二閾値より大きい場合、二回の閃光であらゆる感光部材が受け取ることができない状況を表し、三回の閃光を行う必要がある（ステップＳ８０６）。そのうち、予め設定した第二閾値は、予め設定した第一閾値より大きい。
【００３８】
明らかに、第四回またはさらに多数回の閃光が行われる必要がある場合は、それに対応する閾値を予め設定することができる。並びに上述の方法と類似した方法により判断を行うことができるため、ここでは詳細な説明を省略する。
【００３９】
二回またはさらに多数回の閃光が行われる場合、一部の感光部材列が重複して露出する可能性がある。たとえば、第一回の露出は、第１からｊ列までカバーし、第二回閃光は、第（ｊ−ｎ）から第Ｋ列までカバーする可能性がある。これは、本発明の達成しようとする機能を妨げない。また、二回またはさらに多数回の閃光が行われる場合、これらの閃光は、必ずしも同一フレームの露出時間内に行うとは限らない。たとえば、前の一つのフレームの露出時間内に第一回閃光を行うことによって、一部分の感光部材列をカバーし、別の一つのフレームの露出時間内に第一回閃光を行うことによって、他の部分の感光部材の列をカバーする。次いで、閃光を受け取った感光部材の取得された映像を組み合わせ、一枚の写真が構成される。
【００４０】
図６および図８をご参照ください。二回の閃光によって、あらゆる感光部材が十分に受け取ることができるか否かは、概念上、以下の角度から判断することができる。第一回閃光は、必ず第１列感光部材の露出終了時間前に入り、かつ第二回閃光は、必ず第Ｎ列感光部材の露出開始時間後に入る。第一回閃光が多くともＰ個目の感光部材列（即ち、第１列感光部材の露出終了時間前に、すでに露出を開始した最後の一列の感光部材が第Ｐ列である。）までカバーすることができ、かつ第二回閃光が多くともＱ個目の感光部材列（即ち、第Ｎ列感光部材の露出開始時間後に、最初に露出を終了した感光部材が第Ｎ−Ｑ−１列である。）までカバーすることができれば、Ｐ＋Ｑ＜Ｎのとき、少なくとも第三回閃光が必要とする。図８に例示したように、Ｐ＝４、Ｑ＝４（一般的に、あらゆる感光部材の露出時間が同じであれば、Ｐ＝Ｑになる。）であるため、Ｎ＞８のとき、二回の閃光は、あらゆる感光部材が受け取ることができないことで、少なくとも第三回閃光が必要とする。三回の閃光を超えるか否かを判断することも、類似した方法を応用することができる。即ち、第一回閃光が多くともＰ個目の感光部材列までカバーすることができ、第二回閃光が多くともＱ個目の感光部材列までカバーすることができ、第三回閃光が多くともＲ個目の感光部材列までカバーすることができれば、Ｐ＋Ｑ＋Ｒ＜Ｎのとき、少なくとも第四回閃光が必要となる。
【００４１】
感光部材は、環境光の変化に応じて、露出時間が変更される。これは、携帯装置内部におけるハードウェアおよび設定と関わりがあるため、異なるメーカの携帯装置によって、異なる変化量を有するかもしれない。しかしながら、基本的に、よい撮影効果を達成するために、携帯装置のメーカが異なるが、環境光の変化に応じて感光部材の露出時間が変更されることに対して、その変化量は大体同じである。よって、本発明において、外付けフラッシュランプ５０は、携帯装置の外部アセンブリであるが、前述のように、環境光の強度と比較する予め設定した閾値（予め設定した第一または第二閾値）を事前に設定可能である。たとえば、予め設定した閾値を外付けフラッシュランプ５０に保存する、または、移動装置が外付けフラッシュランプ５０を制御するのに用いられるアプリケーションソフトウェアに設定することができる。
【００４２】
（第四実施形態）
第四実施形態において、異なるメーカの携帯装置に応じたより正確な効果を求めるために、外付けフラッシュランプ５０は、携帯装置の関連情報を取得することができる。図１０をご参照ください。たとえば、事前に異なるメーカの携帯装置に基づき、対応する閾値を予め設定し（予め設定した第一または第二閾値）、外付けフラッシュランプ５０の記憶装置（記憶体５０５）に保存する。撮影しようとするとき、外付けフラッシュランプ５０の処理回路５０６と携帯装置とが通信を行うことによって、携帯装置のメーカ型番または関連属性が取得される。並びに記憶装置に保存された予め設定した閾値（予め設定した第一または第二閾値）を参照することによって、二回またはさらに多数回の閃光が必要であるか否かを計算する。
【００４３】
前述の「環境光の強度と予め設定した閾値とを比較する」ことは、環境光の関連情報を取得する必要があることを表す。外付けフラッシュランプ５０は、携帯装置によりこの情報を取得することができる。または、外付けフラッシュランプ５０内部に環境光検出部材を設置することによって、環境光の関連情報を取得することができる。
【００４４】
（第五実施形態）
図１１をご参照ください。第五実施形態において、一部のメーカ型番の携帯装置の対応する予め設定する閾値（予め設定する第一または第二閾値）が未知の場合、検測プログラムによって、適切な閃光回数を設定することができる。本実施形態において、例えば、携帯装置と外付けフラッシュランプとを組み合わせ、撮影しようとするとき、テスト撮影プログラムを起動する（ステップＳ９０１）。テスト撮影プログラムにおいて、携帯装置と外付けフラッシュランプとを組み合わせ、当時の環境光の強度に基づき、フレームの露出が行われる（ステップＳ９０２）。次いで、露出後のフレームを検査し、感光部材の輝度と参照閾値とを比較し（ステップＳ９０３）、並びに参照閾値より輝度の低い感光部材があるか否かを判断する（ステップＳ９０４）。もし参照閾値より輝度の低い感光部材がなければ、一回の閃光で十分である（ステップＳ９０５）。逆に、参考閾値より輝度の低い感光部材があれば、参照閾値より輝度の高い感光部材の列数（Ｐ）を検査し、並びに感光部材の総列数（Ｎ）と比較を行う（ステップＳ９０６、Ｓ９０７）。１＜（Ｎ／Ｐ）＜２の場合、閃光回数は２である。もし２＜（Ｎ／Ｐ）＜３の場合、閃光回数は３である。これによって類推する。このように、適切な閃光回数を探し出すことができる（ステップＳ９０８）。
【００４５】
上述のように、本発明は、特定事件を利用している。この特定事件の発生時間は、閃光可能時間に相対して安定的で知ることが可能である。かつフラッシュランプの遅延時間の制御と合わせ、フラッシュランプがトリガーリングされることによって、フラッシュランプを閃光するとき、閃光可能時間内に入らせる。このほか、一回の閃光で、あらゆる感光部材をカバーすることができない場合、多数回の閃光を行うことができる。よって、本発明の撮影方法により、感光部材が低い光源または逆光の状況下において適度に露出させることで、携帯装置の撮影品質を高める効果を果たす。
【００４６】
もう一つの実施方法において、多数回の閃光における第一回閃光の発生時間は、前述の特定事件から計算して所定の遅延時間ではなく、外付けフラッシュランプまたは携帯装置が自ら決定された初期閃光時間である。初期閃光時間後、本発明に基づき、一回の撮影において、第二回または多数回の閃光をさらに行うことができる。たとえば、外付けフラッシュランプまたは携帯装置により初期閃光時間が自ら決定されるが、前述の判断方法により、一回の閃光があらゆる感光部材を十分に露出させない場合、同じ写真のために二回または多数回の閃光を行うことができる。また、一回の閃光であらゆる感光部材を十分に露出させることができるとしても、いつ閃光したらあらゆる感光部材を十分に露出させるかが確定しない場合も多数回の閃光を行ってもよい。
【００４７】
本発明の好ましい実施形態における詳細な説明に記載された具体的な実施形態は、単なる本発明の技術内容を説明するのに用いられるだけで、本発明を上述の実施形態に制限することではない。本発明の思想、目的および特許請求の範囲内でのあらゆる変化の実施は、すべて本発明の特許請求の範囲に属する。たとえば、本発明の方法を実施するステップにおいて、必ずしも前後関係のステップではなく、順序を置換または並行して実施することができる。（たとえば、図９におけるステップＳ８０２およびＳ８０４は、順序を置換または並行して実施することができる。）よって、本発明の保護範囲は、特許請求の範囲を基準とする。
【符号の説明】
【００４８】
Ｓ３００〜Ｓ３０２：ステップ
Ｓ７００〜Ｓ７０４：ステップ
Ｓ８００〜Ｓ８０６：ステップ
Ｓ９００〜Ｓ９０８：ステップ
５０：外付けフラッシュランプ
５０１：光センサ回路
５０２：遅延回路
５０３：フラッシュランプ駆動回路
５０４：キセノンランプ
５０５：記憶体
５０６：処理回路
５１：携帯装置
【図１】
2016099627.tif 000003
【図２】
2016099627.tif 000004
【図３】
2016099627.tif 000005
【図４】
2016099627.tif 000006
【図５】
2016099627.tif 000007
【図６】
2016099627.tif 000008
【図７】
2016099627.tif 000009
【図８】
2016099627.tif 000010
【図９】
2016099627.tif 000011
【図１０】
2016099627.tif 000012
【図１１】
2016099627.tif 000013